【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
穴の深さの関数として穴の口径を計測するための装置（３００）であって、
直径プローブ感知軸に沿って第１の計測された口径データを生成するための直径プローブ（１００）と、
前記穴を取囲む表面に面一に配置され、前記穴の軸に実質的に平行な面に、前記穴と垂直な配置で前記直径プローブ感知軸を位置決めするための脚部（３０２）と、
前記直径プローブに結合され、前記穴の中における前記直径プローブ感知軸の深さを示す第１の計測された深さデータを生成するための直線距離プローブ（３１４）と、
前記穴の中への前記直径プローブの挿入の、前記直径プローブからの第１の計測された口径データと、前記直線距離プローブからの第１の計測された深さデータとを記録するためのデータ取得システム（３２２）とを含む、装置。
【請求項２】
前記データ取得システムはさらに、前記穴からの前記直径プローブのその後の引出しの間に、前記直径プローブからの第２の計測された口径データと前記直線距離プローブからの第２の計測された深さデータとを記録する、請求項１に記載の装置。
【請求項３】
前記直径プローブは、さらに、前記穴からの前記直径プローブの引出しに先立って、前記プローブ感知軸に垂直な軸について回転されるように構成された、請求項２に記載の装置。
【請求項４】
前記第１の計測された口径データは、前記第１の計測された深さデータによって索引付けされる、請求項３に記載の装置。
【請求項５】
前記データ取得システムは、さらに、前記第１の計測された深さデータによって決定される時間に、前記第１の計測された口径を記録するように構成された、請求項３に記載の装置。
【請求項６】
前記データ取得システムは、さらに、前記第２の計測された口径データおよび第２の計測された深さデータを、前記第１の計測された口径データおよび前記第１の計測された深さデータとは別個に記憶するように構成された、請求項２に記載の装置。
【請求項７】
前記直径プローブは、異なるゲージヘッド特性を有する複数の取換え可能な直径プローブの１つであり、
前記データ取得システムはさらに前記取換え可能な直径プローブの識別子を読取るように構成された、請求項１に記載の装置。
【請求項８】
穴の深さの関数として穴の口径を計測するための方法であって、
前記穴の軸に実質的に平行な面に、前記穴と垂直な配置でプローブアセンブリ（３００）の感知軸を位置決めするステップ（４０２）を含み、前記プローブアセンブリは、
前記感知軸に沿って第１の計測された口径データを生成するための直径プローブ（１００）と、
前記穴を取囲む表面に面一に配置されるよう構成された脚部（３０２）と、
前記直径プローブに結合され、前記穴の中における前記感知軸の深さを示す第１の計測された深さデータを生成するための直線距離プローブ（３１４）とを含み、前記方法はさらに、
前記直径プローブからの第１の計測された口径データと前記直線距離プローブからの第１の計測された深さデータとを記録しながら、前記穴の中に前記プローブアセンブリを挿入するステップ（４０６）を含む、方法。
【請求項９】
前記直径プローブからの第２の計測された口径データと前記直線距離プローブからの第２の計測された深さデータとをさらに記録しながら、前記穴から前記プローブアセンブリを引出すステップ（４１４）をさらに含む、請求項８に記載の方法。
【請求項１０】
前記直径プローブは、前記穴から前記直径プローブを引出すことに先立ち、前記感知軸に垂直な軸について回転される、請求項９に記載の方法。
【請求項１１】
前記第２の計測された口径データおよび第２の計測された深さデータを、前記第１の計測された口径データおよび前記第１の計測された深さデータとは別個に記憶するステップをさらに含む、請求項９に記載の方法。
【手続補正２】
【補正対象書類名】明細書
【補正対象項目名】００３８
【補正方法】変更
【補正の内容】
【００３８】
結論
ここで、この発明の好ましい実施例の記載の結論を付ける。この発明の好ましい実施例の上記の記載は例示および説明目的で提供されている。この発明を開示されたそのままの形態に包括および限定することは意図されない。上記の教示に鑑みて、多くの修正例および変形例が可能である。この発明の範囲はこの詳細な説明によってではなく、むしろ特許請求の範囲によって限定されることを意図する。上述の明細書、例、およびデータは、製造の完全な説明とこの発明の構成の利用とを提供する。この発明の多くの実施例はこの発明の精神および範囲から逸脱することがなければなされ得るので、この発明は特許請求の範囲において存在する。
また、本発明は以下に記載する態様を含む。
（態様１）
穴の深さの関数として穴の口径を計測するための装置であって、  直径プローブ感知軸に沿って第１の計測された口径データを生成するための直径プローブと、
前記穴に平行な面に前記直径プローブ感知軸を位置決めするための脚部と、
前記直径プローブに結合され、前記穴の中における前記直径プローブ感知軸の深さを示
す第１の計測された深さデータを生成するための直線距離プローブと、
前記穴の中への前記直径プローブの挿入の、前記直径プローブからの第１の計測された口径データと、前記直線距離プローブからの第１の計測された深さデータとを記録するためのデータ取得システムとを含む、装置。
（態様２）
前記データ取得システムはさらに、前記穴からの前記直径プローブのその後の引出しの間に、前記直径プローブからの第２の計測された口径データと前記直線距離プローブからの第２の計測された深さデータとを記録する、態様１に記載の装置。
（態様３）
前記直径プローブは、前記穴からの前記直径プローブの引出しに先立って、前記プローブ感知軸に垂直な軸について回転される、態様２に記載の装置。
（態様４）
前記第１の計測された口径データは、前記第１の計測された深さデータによって索引付けされる、態様３に記載の装置。
（態様５）
前記データ取得システムは、前記第１の計測された深さデータによって決定される時間に、前記第１の計測された口径を記録する、態様３に記載の装置。
（態様６）
前記データ取得システムは、前記第２の計測された口径データおよび第２の計測された深さデータを、前記第１の計測された口径データおよび前記第１の計測された深さデータとは別個に記憶する、態様２に記載の装置。
（態様７）
前記直径プローブは、異なるゲージヘッド特性を有する複数の取換え可能な直径プローブの１つであり、
前記データ取得システムは前記取換え可能な直径プローブの識別子を読取る、態様１に記載の装置。
（態様８）
穴の深さの関数として穴の口径を計測するための方法であって、
前記穴に実質的に平行な面にプローブアセンブリの感知軸を位置決めするステップを含み、前記プローブアセンブリは、
前記感知軸に沿って第１の計測された口径データを生成するための直径プローブと、
前記直径プローブに結合され、前記穴の中における前記感知軸の深さを示す第１の計測された深さデータを生成するための直線距離プローブとを含み、前記方法はさらに、
前記直径プローブからの第１の計測された口径データと前記直線距離プローブからの第１の計測された深さデータとを記録しながら、前記穴の中に前記プローブアセンブリを挿入するステップを含む、方法。
（態様９）
前記直径プローブからの第２の計測された口径データと前記直線距離プローブからの第２の計測された深さデータとをさらに記録しながら、前記穴から前記プローブアセンブリを引出すステップをさらに含む、態様８に記載の方法。
（態様１０）
前記直径プローブは、前記穴から前記直径プローブを引出すことに先立ち、前記感知軸に垂直な軸について回転される、態様９に記載の方法。
（態様１１）
前記第１の計測された口径データは、前記第１の計測された深さデータによって索引付けされる、態様１０に記載の方法。
（態様１２）
前記第１の計測された口径は、前記第１の計測された深さデータによって決定される時間で記録される、態様１０に記載の方法。
（態様１３）
前記第２の計測された口径データおよび第２の計測された深さデータを、前記第１の計測された口径データおよび前記第１の計測された深さデータとは別個に記憶するステップをさらに含む、態様９に記載の方法。
（態様１４）
前記プローブアセンブリはさらに、
前記穴に平行な面に前記直径プローブ感知軸を位置決めするための脚部を含む、態様９に記載の方法。
（態様１５）
穴の深さの関数として穴の口径を計測するための装置であって、
前記穴に実質的に平行な面にプローブアセンブリの感知軸を位置決めするための手段を含み、前記プローブアセンブリは、
前記感知軸に沿って第１の計測された口径データを生成するための手段と、
前記穴の中における前記感知軸の深さを示す第１の計測された深さデータを生成するための手段とを含み、前記装置はさらに、
前記直径プローブからの第１の計測された口径データと前記直線距離プローブからの第１の計測された深さデータとを記録しながら、前記穴の中に前記プローブアセンブリを挿入するための手段を含む、装置。
（態様１６）
前記直径プローブからの第２の計測された口径データと前記直線距離プローブからの第２の計測された深さデータとをさらに記録しながら、前記穴から前記プローブアセンブリを引出すための手段をさらに含む、態様１５に記載の装置。
（態様１７）
前記直径プローブは、前記穴からの前記直径プローブの引出しに先立って、前記プローブ感知軸に垂直な軸について回転される、態様１６に記載の装置。
（態様１８）
前記第１の計測された口径データは、前記第１の計測された深さデータによって索引付けされる、態様１７に記載の装置。
（態様１９）
前記データ取得システムは、前記第１の計測された深さデータによって決定される時間に、前記第１の計測された口径を記録する、態様１７に記載の装置。
（態様２０）
前記第２の計測された口径データおよび第２の計測された深さデータを、前記第１の計測された口径データおよび前記第１の計測された深さデータとは別個に記憶するための手段をさらに含む、態様１６に記載の装置。